(57)【要約】【課題】二ヶ国語放送において語学学習をはじめとする利用方法に、より適したテレビジョン受信装置の提供を目的とする。【解決手段】二ヶ国語放送における主音声信号と副音声信号とを所定時間以前まで記憶するメモリ２５を備えさせ、マイコン３０の制御にての主音声と副音声のいずれか一方を他方より遅延出力させる。また、メモリ２５より供給される主音声信号と副音声信号の出力レベルを設定する右レジスタ２６Ｒと左レジスタ２６Ｌとを備えさせ、出力される音声に音量差を生じさせる。さらに、マイコン３０の制御によりメモリ２５より出力される主音声信号と副音声信号との出力先を左右反転させる。【選択図】図７
2007228159.tif 000002
【特許請求の範囲】
【請求項１】
テレビ放送信号に基づいて映像を表示するディスプレイおよび音声を出力するスピーカを備えるテレビジョン受信装置において、
情報を書き換え可能な半導体メモリと、
テレビ放送信号を受信して所定の中間周波信号を出力するチューナと、
上記中間周波信号を音声検波して音声検波出力を出力する音声検波部と、上記音声検波出力が入力され当該音声検波出力が二ヶ国語放送であるとき主音声と副音声とを出力する音声多重復調部と、上記音声多重復調部より出力される音声信号をアナログ出力する右音声出力端子および左音声出力端子と、上記右音声出力端子および左音声出力端子より入力されるアナログの音声信号を所定のサンプリングレートにて抽出する右Ａ／Ｄ変換ポートおよび左Ａ／Ｄ変換ポートと、上記右Ａ／Ｄ変換ポートおよび上記左Ａ／Ｄ変換ポートより出力される音声信号のうち所定時間以前までの音声信号を記憶するメモリと、上記メモリより供給される音声信号の出力レベルを調整してアナログ出力する右Ｄ／Ａ変換ポートおよび左Ｄ／Ａ変換ポートと、上記右Ｄ／Ａ変換ポートおよび上記左Ｄ／Ａ変換ポートの上記出力レベルがそれぞれ設定された右レジスタおよび左レジスタと、を備える１チップＩＣと、
上記右Ｄ／Ａ変換ポートおよび上記左Ｄ／Ａ変換ポートより出力される音声信号を所定の利得に調整して上記スピーカに出力する音声アンプと、
所定のフォーマットで表現した赤外線信号を受信して対応する電圧信号を生成するリモコン受光部と、
操作を受け付ける複数のキーと、上記赤外線信号を上記リモコン受光部に向けて送信する赤外線信号送信部とを有し、同複数のキーの操作に応じた赤外線信号を所定のフォーマットで送出するリモコンと、
上記１チップＩＣの制御を行うマイコンと
を備え、
上記マイコンは、
主音声と副音声のいずれか一方を他方より遅延出力させる遅延時間を示すスライダを上記ディスプレイに表示させ、上記スライダを移動させる操作入力を上記リモコンより受け付け、上記スライダに対応する遅延時間を表す情報を上記半導体メモリの所定のアドレスに記憶させるとともに、受け付けた上記遅延時間にて主音声と副音声とを上記１チップＩＣより即時に出力させ、
上記右Ｄ／Ａ変換ポートおよび上記左Ｄ／Ａ変換ポートの上記出力レベルを設定する操作入力を上記リモコンより受け付け、同出力レベルをそれぞれ上記右レジスタおよび上記左レジスタに設定し、同出力レベルにて上記１チップＩＣより音声信号を出力させ、
上記メモリより出力される主音声と副音声の出力先を入れ替える操作入力を上記リモコンより受け付け、入れ替えられた出力先を表す情報を上記半導体メモリの所定のアドレスに記憶させ、上記１チップＩＣに主音声と副音声の出力先を入れ替えさせる
ことを特徴とするテレビジョン受信装置。
【請求項２】
音声多重映像信号を受信して中間周波信号を抽出して出力する映像信号受信手段と、
同映像信号受信手段から出力される中間周波信号に基づいてディスプレイに所定の映像表示を行う映像信号生成手段と、
上記映像信号受信手段から出力される中間周波信号を音声検波して主チャンネル音声信号と副チャンネル音声信号とに分離して復調する音声信号生成手段と
を備えるテレビジョン受信装置おいて、
上記主チャンネル音声信号は、二ヶ国語放送における主音声信号であり、
上記副チャンネル音声信号は、二ヶ国語放送における副音声信号であり、
上記主音声信号と上記副音声信号とのいずれか一方を他方より遅延出力させる遅延出力手段
を備えることを特徴とするテレビジョン受信装置。
【請求項３】
上記主音声信号と上記副音声信号とを記憶可能な記憶媒体
を備えることを特徴とする上記請求項２に記載のテレビジョン受信装置。
【請求項４】
上記遅延出力手段は、
上記主音声信号と上記副音声信号との出力タイミングを相対的に調整可能である
ことを特徴とする上記請求項２または請求項３に記載のテレビジョン受信装置。
【請求項５】
上記主音声信号と上記副音声信号とを出力するタイミングを入れ替える主副反転手段
を備えることを特徴とする上記請求項２〜請求項４のいずれかに記載のテレビジョン受信装置。
【請求項６】
上記遅延時間を、スライダより受け付けて調整可能とした遅延時間受付手段
を備えることを特徴とする上記請求項２〜請求項５のいずれかに記載のテレビジョン受信装置。
【請求項７】
上記遅延出力手段は、上記遅延時間受付手段にて受け付けた遅延時間を即時に反映する
ことを特徴とする上記請求項６に記載のテレビジョン受信装置。
【請求項８】
上記映像信号生成手段と上記音声信号生成手段とは１チップＩＣにて具現され、
上記１チップＩＣは、
上記中間周波信号より得られる主チャンネル音声信号と副チャンネル音声信号とを出力する一対の音声出力端子と、
入力されたアナログ信号をデジタル化する一対のＡ／Ｄ変換ポートと、
所定の処理が施されたデジタル信号をアナログ出力する一対のＤ／Ａ変換ポートと、
上記デジタル信号の出力レベルを表す利得情報が設定されるレジスタと、
上記デジタル信号を記憶可能なメモリと
を備えることを特徴とする上記請求項２〜請求項７のいずれかに記載のテレビジョン受信装置。
【請求項９】
上記１チップＩＣを制御するマイコンを備え、
上記マイコンは、
上記レジスタに記憶された利得情報を変更することにより、上記デジタル信号の出力レベルを調整する
ことを特徴とする上記請求項８に記載のテレビジョン受信装置。
【請求項１０】
上記マイコンは、
上記デジタル信号が上記Ｄ／Ａ変換ポートより出力される際に、上記Ｄ／Ａ変換ポートにて上記出力レベルの調整を行わせる
ことを特徴とする上記請求項９に記載のテレビジョン受信装置。
【発明の詳細な説明】
【技術分野】
【０００１】
本発明は、二ヶ国語放送に対応したテレビジョン受信装置に関する。
【背景技術】
【０００２】
アナログ方式によるテレビジョン放送における音声多重放送は、音声信号をステレオ音声とする以外に副音声付き（二ヶ国語）放送に利用される。二ヶ国語放送の場合は、主音声または副音声を選択して聞くことが出来る。また、主音声を左のスピーカ、副音声を右のスピーカと分けて聞くことも可能である。
【０００３】
音声多重放送では, 変調されていないベースバンドのモノラル和信号（Ｌ＋Ｒ）または二ヶ国語の主音声の上の帯域に、ＦＭ変調した差信号（Ｌ＋Ｒ）もしくは二ヶ国語の副音声を重畳する. 更にその上の帯域にステレオ放送と二ヶ国語放送を識別するためのＡＭ変調された制御信号を重畳し, 全体をＦＭ変調したものがテレビの音声信号となる。
【０００４】
音声多重放送を有効利用する観点から、以下の技術が開示されている。
すなわち、左右一方のスピーカから主音声、他方のスピーカから副音声が聞こえるモードを選択可能とし、かつ、左右スピーカの音量バランスを調整可能としたテレビジョン受像機（特許文献１）や、複数のイヤホンジャックを備えてそれぞれ独立に音量調整可能としたテレビジョン受像機（特許文献２）や、主音声と副音声をスピーカとヘッドフォントに分離させて同時に聴くことを可能としたテレビ受像機（特許文献３）や、左右音声信号を逆転させて出力可能なテレビ受像機（特許文献４）、それに、抵抗やコンデンサからなるバンドパスフィルタにより副チャンネル信号を一定時間遅延させることにより主チャンネル信号との時間遅れを解消することの可能なテレビジョン音声多重放送受信機（特許文献５）などである。
【特許文献１】特開平６−６７２７
【特許文献２】実開昭６０−５５１６６
【特許文献３】実開昭５８−１３５１７２
【特許文献４】実開昭５５−１００３７８
【特許文献５】特開昭５５−２７７８０
【発明の開示】
【発明が解決しようとする課題】
【０００５】
上述した特許文献１によれば、音声多重放送（特に二ヶ国語放送）において、左右のスピーカらからそれぞれ主音声と副音声をの出力することにより、例えば日本語（主音声）と英語（副音声）とを同時に聞くことが可能となるが、同時に二種類の音声を聞きつつ両者を即座に理解することは難しい。このような背景から、音声多重放送（特に二ヶ国語放送）において、語学学習をはじめとする利用方法に、より適したテレビジョン受信装置の開発が望まれていた。
【０００６】
本発明は、上記課題にかんがみてなされたもので、音声多重放送（特に二ヶ国語放送）において語学学習をはじめとする利用方法に、より適したテレビジョン受信装置の提供を目的とする。
【課題を解決するための手段】
【０００７】
上記課題を解決するために、本発明の請求項１にかかる発明では、テレビ放送信号に基づいて映像を表示するディスプレイおよび音声を出力するスピーカを備えるテレビジョン受信装置において、情報を書き換え可能な半導体メモリと、テレビ放送信号を受信して所定の中間周波信号を出力するチューナと、上記中間周波信号を音声検波して音声検波出力を出力する音声検波部と、上記音声検波出力が入力され当該音声検波出力が二ヶ国語放送であるとき主音声と副音声とを出力する音声多重復調部と、上記音声多重復調部より出力される音声信号をアナログ出力する右音声出力端子および左音声出力端子と、上記右音声出力端子および左音声出力端子より入力されるアナログの音声信号を所定のサンプリングレートにて抽出する右Ａ／Ｄ変換ポートおよび左Ａ／Ｄ変換ポートと、上記右Ａ／Ｄ変換ポートおよび上記左Ａ／Ｄ変換ポートより出力される音声信号のうち所定時間以前までの音声信号を記憶するメモリと、上記メモリより供給される音声信号の出力レベルを調整してアナログ出力する右Ｄ／Ａ変換ポートおよび左Ｄ／Ａ変換ポートと、上記右Ｄ／Ａ変換ポートおよび上記左Ｄ／Ａ変換ポートの上記出力レベルがそれぞれ設定された右レジスタおよび左レジスタと、を備える１チップＩＣと、上記右Ｄ／Ａ変換ポートおよび上記左Ｄ／Ａ変換ポートより出力される音声信号を所定の利得に調整して上記スピーカに出力する音声アンプと、所定のフォーマットで表現した赤外線信号を受信して対応する電圧信号を生成するリモコン受光部と、操作を受け付ける複数のキーと、上記赤外線信号を上記リモコン受光部に向けて送信する赤外線信号送信部とを有し、同複数のキーの操作に応じた赤外線信号を所定のフォーマットで送出するリモコンと、上記１チップＩＣの制御を行うマイコンとを備え、上記マイコンは、主音声と副音声のいずれか一方を他方より遅延出力させる遅延時間を示すスライダを上記ディスプレイに表示させ、上記スライダを移動させる操作入力を上記リモコンより受け付け、上記スライダに対応する遅延時間を表す情報を上記半導体メモリの所定のアドレスに記憶させるとともに、受け付けた上記遅延時間にて主音声と副音声とを上記１チップＩＣより即時に出力させ、上記右Ｄ／Ａ変換ポートおよび上記左Ｄ／Ａ変換ポートの上記出力レベルを設定する操作入力を上記リモコンより受け付け、同出力レベルをそれぞれ上記右レジスタおよび上記左レジスタに設定し、同出力レベルにて上記１チップＩＣより音声信号を出力させ、上記メモリより出力される主音声と副音声の出力先を入れ替える操作入力を上記リモコンより受け付け、入れ替えられた出力先を表す情報を上記半導体メモリの所定のアドレスに記憶させ、上記１チップＩＣに主音声と副音声の出力先を入れ替えさせる構成としてある。
【０００８】
上記メモリとはＩＣチップとして搭載されている物理的なメモリのことであり、半導体メモリやフラッシュメモリなどを用いることが出来る。
【０００９】
また、上記目的を達成するために、請求項２に記載のテレビジョン受信装置では、音声多重映像信号を受信して中間周波信号を抽出して出力する映像信号受信手段と、同映像信号受信手段から出力される中間周波信号に基づいてディスプレイに所定の映像表示を行う映像信号生成手段と、上記映像信号受信手段から出力される中間周波信号を音声検波して主チャンネル音声信号と副チャンネル音声信号とに分離して復調する音声信号生成手段とを備えるテレビジョン受信装置おいて、上記主チャンネル音声信号は、二ヶ国語放送における主音声信号であり、上記副チャンネル音声信号は、二ヶ国語放送における副音声信号であり、上記主音声信号と上記副音声信号とのいずれか一方を他方より遅延出力させる遅延出力手段を備える構成としてある。
【００１０】
そして、請求項３にかかる発明では、上記請求項２に記載のテレビジョン受信装置において、上記主音声信号と上記副音声信号とを記憶可能な記憶媒体を備える構成としてある。
【００１１】
上記記憶媒体としてはは、上記主音声信号と上記副音声信号とを記憶可能であればよく、半導体メモリ、バッテリによりバックアップされたＲＡＭ、ハードディスク等の磁気記憶媒体、等を用いることができる。
【００１２】
さらに、請求項４にかかる発明では、上記請求項２または請求項３に記載のテレビジョン受信装置において、上記遅延出力手段は、上記主音声信号と上記副音声信号との出力タイミングを相対的に調整可能である構成としてある。
【００１３】
また、請求項５にかかる発明は、上記請求項２〜請求項４のいずれかに記載のテレビジョン受信装置において、上記主音声信号と上記副音声信号とを出力するタイミングを入れ替える主副反転手段を備える構成としてある。
【００１４】
そして、請求項６にかかる発明は、上記請求項２〜請求項５のいずれかに記載のテレビジョン受信装置において、上記遅延時間を、スライダより受け付けて調整可能とした遅延時間受付手段を備える構成としてある。
【００１５】
さらに、請求項７にかかる発明は、上記請求項６に記載のテレビジョン受信装置において、上記遅延出力手段は、上記遅延時間受付手段にて受け付けた遅延時間を即時に反映する構成としてある。
【００１６】
また、請求項８にかかる発明は、上記請求項２〜請求項７のいずれかに記載のテレビジョン受信装置において、上記映像信号生成手段と上記音声信号生成手段とは１チップＩＣにて具現され、上記１チップＩＣは、上記中間周波信号より得られる主チャンネル音声信号と副チャンネル音声信号とを出力する一対の音声出力端子と、入力されたアナログ信号をデジタル化する一対のＡ／Ｄ変換ポートと、所定の処理が施されたデジタル信号をアナログ出力する一対のＤ／Ａ変換ポートと、上記デジタル信号の出力レベルを表す利得情報が設定されるレジスタと、上記デジタル信号を記憶可能なメモリとを備える構成としてある。
【００１７】
そして請求項９にかかる発明は、上記請求項８に記載のテレビジョン受信装置において、上記１チップＩＣを制御するマイコンを備え、上記マイコンは、上記レジスタに記憶された利得情報を変更することにより、上記デジタル信号の出力レベルを調整する構成としてある。
【００１８】
さらに請求項１０にかかる発明は、上記請求項９に記載のテレビジョン受信装置において、上記マイコンは、上記デジタル信号が上記Ｄ／Ａ変換ポートより出力される際に、上記Ｄ／Ａ変換ポートにて上記出力レベルの調整を行わせる構成としてある。
【発明の効果】
【００１９】
以上説明したように本発明によれば、主音声と副音声とに時間差を付けていずれか一方を遅延出力することにより、外国語番組などで原音と吹き替えとが同時に再現できるとともに、原音と吹き替えとに時間差があるため原音を理解した後に吹き替えにて確認が出来るなど、語学学習をはじめとする利用方法に適したテレビジョン受信装置を提供することが可能となる。
【００２０】
また請求項３にかかる発明によれば、より語学学習をはじめとする利用方法に適したテレビジョン受信装置を提供することが可能となる。
そして請求項４にかかる発明によれば、より語学学習をはじめとする利用方法に適したテレビジョン受信装置を提供することが可能となる。
さらに請求項５にかかる発明によれば、主音声と副音声の出力タイミングを入れ替えることが可能となり、吹き替えを先に聞いた後に原音を聞くなどの幅広い利用方法ができるテレビジョン受信装置を提供することが可能となる。
また請求項６にかかる発明によれば、遅延時間を適宜調節できる為、ユーザの理解の速度に合わせて原音と吹き替えとを出力するなど、より便利なテレビジョン受信装置を提供することが出来る。
そして請求項７にかかる発明によれば、ユーザの操作入力に合わせて遅延時間が即時に反映されるため、より便利なテレビジョン受信装置を提供することが出来る。
【００２１】
さらに請求項８にかかる発明によれば、より語学学習をはじめとする利用方法に適したテレビジョン受信装置を提供することが可能となる。
【００２２】
また請求項９にかかる発明によれば、より語学学習をはじめとする利用方法に適したテレビジョン受信装置を提供することが可能となる。
【００２３】
そして請求項１０にかかる発明によれば、より語学学習をはじめとする利用方法に適したテレビジョン受信装置を提供することが可能となる。
さらに請求項１のような、より具体的な構成において、上述した請求項２〜請求項１０の各発明と同様の作用を奏することはいうまでもない。
【発明を実施するための最良の形態】
【００２４】
以下、下記の順序に従って本発明の実施形態を説明する。
（１）テレビジョン受信装置の概略構成：
（２）遅延設定：
（３）まとめ：
【００２５】
（１）テレビジョン受信装置の概略構成： 
以下、図面にもとづいて本発明の実施形態を説明する。図１は、本発明の一実施形態にかかるテレビジョン受信装置をブロック図により示している。同図に示すように、テレビジョン受信装置１００は、テレビジョン本体１１０とリモコン（リモートコントロール装置）６０とを備える。また、テレビジョン本体１１０は、チューナ１０と、半導体メモリ４０と、リモコン受光部５０と、マイコン３０と、ＩＩＣバスと、スイッチ回路１５と、１チップＩＣ２０と、音声アンプ１４と、スピーカ１３Ｒ，１３Ｌと、コンポジット映像信号入力端子４５と、受像管１２とを備えている。
【００２６】
マイコン３０は、内部に、図示しない、ＣＰＵ、ＲＯＭ、ＲＡＭ、ＯＳＤ（オンスクリーンディスプレイ）回路を備えている。ＯＳＤ回路は、１チップＩＣ２０に接続され、受像管１２の画面にＯＳＤ表示する画像を表すＯＳＤ信号を生成し映像信号に重畳する。マイコン３０は、ＣＰＵの制御により、リモコン受光部５０から電圧信号を入力して対応するキー操作を検知するとリモコン６０からの操作入力を受け付け、受け付けた操作入力に対応したＯＳＤ信号を生成する。また、マイコン３０は操作項目を画面に表示させるＯＳＤ信号を生成し、受像管１２の画面に表示された操作項目の中からいずれかを選択する操作入力をリモコン６０から受け付けるとともに、選択された操作項目に対応する設定処理を実行する。なお、本実施形態では受像管から映像を出力するテレビジョンを例に取り上げて、ディスプレイとして液晶パネルやプラズマディスプレイパネルを採用してもよく、液晶テレビジョンやプラズマテレビジョン等も考えられる。
【００２７】
同図において、チューナ１０は、所望のチャンネル周波数に対応するテレビ放送信号を受信し、所定の信号だけを選択して高周波増幅し、所定の中間周波信号に変換して出力する。
スイッチ回路１５は、マイコン３０とチューナ１０とコンポジット映像信号入力端子（以下、端子とする）４５が接続されている。スイッチ回路１５は、マイコン３０から入力される選択指示に従って、チューナ１０からの中間周波信号と端子４５からのアナログのコンポジット映像信号（映像信号の一種）とを選択的に入力し、中間周波信号として１チップＩＣ２０に出力する。従って、チューナ１０およびアンテナ１１と端子４５とが上記映像信号受信手段を構成する。
【００２８】
次に図２を参照して１チップＩＣの概略構成について説明する。同図において、１チップＩＣは、概略、映像信号処理部２１、音声検波部２２、音声多重復調部２３、右Ａ／Ｄ変換ポート２４Ｒ、左Ａ／Ｄ変換ポート２４Ｌ、メモリ２５、右レジスタ２６Ｒ、左レジスタ２６Ｌ、右Ｄ／Ａ変換ポート２７Ｒ、左Ｄ／Ａ変換ポート２７Ｌから構成される。
【００２９】
映像信号処理部２１は、スイッチ回路１５より供給される中間周波信号を映像検波して中間周波増幅した後、輝度信号と、搬送色信号と、カラーバースト信号と、同期信号とを分離する。そして、分離した輝度信号については適宜増幅するとともに、搬送色信号およびカラーバースト信号については、これらに基づいて所定の色復調処理を施して元の色信号を生成し、増幅後の輝度信号と生成した元の色信号とからなる映像信号を受像管１２に供給する。また、同期信号については、垂直および水平同期信号に分離し、これらに基づいて垂直および水平発振出力を得て受像管１２の偏向コイルに供給する。従って、１チップＩＣの映像信号処理部２１が、上記映像信号受信手段から出力される中間周波信号に基づいてディスプレイに所定の映像表示を行う上記映像信号生成手段を構成する。
【００３０】
音声検波部２２は、スイッチ回路１５から出力される中間周波信号より音声検波し、その音声検波出力を音声多重復調部２３に供給する。むろん、受信している放送または端子４５より入力される映像信号が音声多重映像信号の場合にのみ送信されてくる音声検波出力は音声多重となっており、放送に応じて単一音声にもなるが、以下においては、便宜上、音声多重信号であるものとする。また、音声多重放送には二重放送（二ヶ国語放送）やステレオ放送もあるが、本実施形態においては、二ヶ国語放送を基準として説明していく。そして、音声多重復調部２３では、音声検波出力に基づいて主チャンネル音声信号と副チャンネル音声信号とに分離して復調し、適宜増幅した後にそれぞれ右音声出力端子（Ｒ）および左音声出力端子（Ｌ）を介して音声信号がアナログ出力される。これら右音声出力端子（Ｒ）および左音声出力端子（Ｌ）が一対の音声出力端子を構成する。以上より、１チップＩＣ２０の音声検波部２２および音声多重復調部２３が音声信号生成手段を構成する。
【００３１】
音声検波出力の周波数特性は図３のようになっている。同図において、主チャンネル音声信号と副チャンネル音声信号とを一つの音声搬送波で搬送するため、周波数ｆｓの副搬送波が副チャンネル音声信号でＦＭされるとともに、このＦＭ化された副チャンネル音声信号と所定のパイロット信号とが主チャンネル音声信号に合成されている。むろん、ステレオ放送であれば、主チャンネル音声信号は（Ｌ＋Ｒ）信号、副チャンネル音声信号は（Ｌ−Ｒ）信号となり、二カ国語放送であれば主チャンネル音声信号は主音声信号、副チャンネル音声信号は副音声信号となる。また、上述したパイロット信号は、約５５ｋＨｚの搬送波をステレオ放送、二カ国語放送の放送形態に応じてそれぞれ周波数ｆ１またはｆ２でＡＭされた信号であり、これにより受信側でいずれの放送形態であるかを判別することができる。
【００３２】
図４は、音声多重復調部２３の詳細な構成をブロック図により示している。同図において、音声多重復調部２３に入力された上記音声検波出力は、ＬＰＦ２３ａに入力されて主チャンネル音声信号が取り出され、この主チャンネル音声信号が増幅器２３ｂによって増幅されて切換マトリクス２３ｃに入力される。他方、上記音声検波出力における副チャンネル音声信号とパイロット信号は、ＢＰＦ２３ｄを介することによって取り出され、同副チャンネル音声信号についてはＦＭ検波器２３ｅによって検波され、増幅器２３ｆによって増幅されて切換マトリクス２３ｃに入力される。また、パイロット信号については、ＡＭ検波器２３ｇによって検波され、ｆ１フィルタ２３ｈおよびｆ２フィルタ２３ｉを介してそれぞれｆ１およびｆ２の周波数成分が取り出されて切換マトリクス２３ｃに入力される。
【００３３】
すなわち、上述したようにパイロット信号は、約５５ｋＨｚの搬送波をステレオ放送または二カ国語放送の種別に応じてそれぞれｆ１またはｆ２の周波数でＡＭしたものであるため、切換マトリクス２３ｃにはステレオ放送であればｆ１フィルタ２３ｈを介して入力があり、二カ国語放送であればｆ２フィルタ２３ｉを介して入力があり、さらにモノラル放送であればパイロット信号は存在しないためｆ１フィルタ２３ｈおよびｆ２フィルタ２３ｉのいずれからも入力がないことになる。
【００３４】
切換マトリクス２３ｃは、このｆ１フィルタ２３ｈおよびｆ２フィルタ２３ｉの入力状況に基づきステレオ放送であることを検知すると、主チャンネル音声信号である（Ｌ＋Ｒ）信号とＦＭ検波後の副チャンネル音声信号である（Ｌ−Ｒ）信号とを加算および減算してＬおよびＲの音声信号を生成してそれぞれ左右に分配出力する。また、切換マトリクス２３ｃは、同様の入力状況に基づき二カ国語放送であることを検知すると、上述した加算および減算は行わず、利用者の選択に応じて主音声または副音声のいずれを出力するか、あるいはそれぞれを同時に分配出力するかを切り換える。さらに、モノラル放送の場合には、副チャンネル音声信号は存在しないため、主チャンネル音声信号を左右両方に出力する。
【００３５】
ところで、１チップＩＣ２０には、入力されたアナログ信号を抽出してデジタル化して供給する右Ａ／Ｄ変換ポート２４Ｒおよび左Ａ／Ｄ変換ポート２４Ｌと、１チップＩＣ２０内部より供給されたデジタル信号をアナログ信号に変換して出力する右Ｄ／Ａ変換ポート２７Ｒおよび左Ｄ／Ａ変換ポート２７Ｌとを備える。また、１チップＩＣ２０は、右Ａ／Ｄ変換ポート２４Ｒおよび左Ａ／Ｄ変換ポート２４Ｌより供給されるデジタル信号をデータとして記憶し、記憶したデータをマイコン３０の制御により右Ｄ／Ａ変換ポート２７Ｒおよび左Ｄ／Ａ変換ポート２７Ｌに供給するメモリ２５と、右Ｄ／Ａ変換ポート２７Ｒおよび左Ｄ／Ａ変換ポート２７Ｌより出力されるアナログ信号の出力レベルであるところの利得を表す情報をそれぞれ記憶する右レジスタ２６Ｒおよび左レジスタ２６Ｌとを備える。両レジスタは、マイコン３０により書き換え可能である。また、メモリ２５は容量に応じたデータを記憶可能で、本実施例においては容量に応じた一定量の音声データを記憶可能である。
【００３６】
本実施例においては、音声多重復調部２３より出力される左右の音声信号は、一旦１チップＩＣ２０の外部に出力された後、それぞれ左Ａ／Ｄ変換ポート２４Ｌと右Ａ／Ｄ変換ポート２４Ｒへと入力される。各Ａ／Ｄ変換ポートより入力された左右の音声信号は所定のサンプリングレートにて抽出されたのち、それぞれメモリ２５の所定の領域に記憶されるとともにマイコン３０の制御により適宜右Ｄ／Ａ変換ポート２７Ｒまたは左Ｄ／Ａ変換ポート２７Ｌへ出力される。メモリ２５より出力される音声信号は、右Ｄ／Ａ変換ポート２７Ｒと左Ｄ／Ａ変換ポート２７Ｌにてそれぞれ右レジスタ２６Ｒと左レジスタ２６Ｌに記憶された情報に基づいて電圧調整されることにより出力レベルを調整されて出力され、音声アンプ１４へと入力される。音声アンプ１４は、各Ｄ／Ａ変換ポートより出力される音声信号を所定の利得にて調整してスピーカ１３Ｒ，１３Ｌに出力する。
【００３７】
リモコン６０は操作を受け付ける複数のキーと、赤外線信号をリモコン受光部５０に向けて送信する赤外線信号送信部６５とを有し、同複数のキーの操作に応じた赤外線信号を所定のフォーマットで送出する。例えば、図５に示すリモコン６０を用いて所望のチャンネルを受信させるべく操作すると、赤外線信号送信部６５より対応する赤外線リモコン信号が送出される。そして、マイコン３０がリモコン受光部５０を介して同赤外線リモコン信号を受信し、対応するチャンネルを受信させるように周波数データをチューナ１０に送出する。
【００３８】
またリモコン６０は、電源キー６６、テンキー６３、音量調節キー６２ａ，６２ｂ、上下左右カーソル移動キー６１ａ，６１ｂ，６１ｃ，６１ｄ、カーソル選択キー６１ｅ、および遅延設定開始キー６４を備えている。なお、マイコン３０には、図示しないＣＰＵ、ＲＯＭ、ＲＡＭ、ＯＳＤ回路が備えられており、ＣＰＵがＲＡＭをワークエリアとして利用しながらＲＯＭに記憶された所定のプログラムを実行し、テレビジョン受信装置１００全体の制御を行う。同ＯＳＤ回路は、同ＣＰＵからの制御指示に基づいて各種表示に対応するＯＳＤ信号を生成するとともに、このＯＳＤ信号を映像信号に重畳して出力端子に供給する。
【００３９】
（２）遅延設定： 
【００４０】
まず、主音声と副音声の出力タイミングを異なるものとする遅延設定について説明する。
音声多重復調部２３にて、主音声と副音声とに分離され、それぞれＬＲのいずれかより出力される音声信号は、各Ａ／Ｄ変換ポート２４Ｒ，２４Ｌにてデジタルの音声情報として取得され、現在から所定時間以前までの分の音声情報が一旦メモリ２５に蓄えられる。当該所定時間は、２秒でも３秒でもよく、任意の値を採用可能であるが、本実施例においては２秒分の音声情報がメモリ２５に蓄えられるものとする。また、当該所定時間は、メモリ２５の空き容量や、各Ａ／Ｄ変換ポート２４Ｒ，２４Ｌにて抽出される音声情報のサンプリングレートにも関係し、メモリ２５の容量が小さい場合は同サンプリングレートを低くすることで当該所定時間を長くすることも可能である。
【００４１】
メモリ２５に蓄えられる音声情報は、メモリ２５内で毎時更新され、所定のアドレスに所定時間以前までの音声情報が格納される。メモリ２５内の、音声情報の格納のされ方について図６を参照して説明する。同図には、主音声と副音声の対応関係を分かりやすくする為に、主音声と副音声のデータを横に並べるとともに、時系列で示してあるが、むろん、主音声と副音声とを交互に組み合わせて格納してもよいし、ランダムアクセス可能なメモリであればランダムに情報は書き込まれてる。時間情報と格納されたアドレスの対応関係を示す情報は、マイコン３０が保持する。本実施例においては、音声多重復調部２３より出力される音声信号は、Ｌから主音声が、Ｒから副音声が出力される。むろん、Ｌから副音声、Ｒから主音声でも構わないが、音声多重復調部２３からの出力時に主音声と副音声の出力される端子の入れ替えは行わないものとする。
【００４２】
遅延出力は、主音声と副音声の出力される時間差（遅延時間）にて指定される為、メモリ２５には、所定時間分の音声情報が主音声と副音声それぞれに蓄えられ、図６のように、所定時間間隔（図では０．２秒間隔）で読み出し開始位置を指定可能とされる。例えば、主音声は１秒前の情報を出力させ、副音声はリアルタイムの情報を出力させると、主音声が出力されてから１秒遅れて同主音声に対応する副音声が出力される。従って副音声が１秒遅れて聞こえることになる。ここで、映像信号は先に出力される音声信号である主音声に合わせて受像管１２に表示されるものとする。遅延時間を指定する時間差を表す情報は、半導体メモリ４０の所定のアドレスに記憶され、マイコン３０が適宜当該情報を参照してメモリの読み出し位置指示する制御信号を１チップＩＣ２０に出力するものとする。
【００４３】
また、主音声と副音声とは常に所定時間分の音声情報を蓄えているため、出力される主音声と副音声の出力先を入れ替えることにより、遅延される音声の入れ替え（音声反転）などの処理も実現できる。すなわち、音声反転が指示されると、図６の例では、主音声はリアルタイムの情報を出力させ、副音声は１秒前の情報を出力させることにより、副音声が出力されてから１秒遅れて同副音声に対応する主音声が出力される。従って主音声が１秒遅れて聞こえることになる。この場合、映像信号は先に出力される音声信号である副音声に合わせて受像管１２に表示される。当該音声反転については、後述するようなメニュー項目からの設定以外にも、リモコンなどの操作入力手段に専用の切替ボタンを設け、同切替ボタンを押すと音声反転が実現されるような構成としても構わない。
【００４４】
メモリ２５より読み出されて出力される音声情報は、各Ａ／Ｄ変換ポート２４Ｒ，２４Ｌにて、各Ａ／Ｄ変換ポート２４Ｒ，２４Ｌに対応するレジスタより音量を示す情報を供給され、同情報に従って電圧調整されたのち、アナログデータとして出力され、音声アンプ１４にて所定の利得にて増幅がなされてスピーカ１３Ｌ，１３Ｒに出力される。
【００４５】
遅延設定においては、各Ａ／Ｄ変換ポート２４Ｒ，２４Ｌより出力される音声の音量は、音量差にて指定され、例えば主音声の音量から副音声の音量の相対値などで指定する。当該音量差にて音量が指定された場合にレジスタ２６Ｌ，２６Ｒに設定される値は、例えば、主音声と副音声のいずれか先に出力される音声に、テレビジョン受信装置１００視聴の際の標準音量に対応する設定値が設定され、遅延出力される音声には同標準音量から音量差の分差し引かれた音量に対応する設定値が設定される。むろん、音量レベルを左右それぞれに設定する構成としても構わない。
【００４６】
上記構成にて、遅延設定を実行するマイコン３０の処理を、図７を参照して説明する。なお、図７には当該処理をフローチャートにて示してある。当該処理は、テレビジョン受信装置１００の電源がオンの間は繰り返し実行されるものとする。
【００４７】
遅延設定開始キー６４が押し下げ操作されると、リモコン６０は、遅延設定開始キー６４の押し下げ操作を検知し、当該押し下げ操作に対応するパルスで表現した赤外線信号を赤外線送信回路からテレビジョン本体１１０に向けて送信する。すると、リモコン受光部５０が赤外線信号を受光して対応する電圧信号を生成し、マイコン３０は同電圧信号を識別して遅延設定開始キー６４の押し下げ操作を検知するので、ステップＳ１０では条件成立となり、ステップＳ２０に進む。なお、遅延設定開始キー６４が押し下げ操作されていない場合にはマイコン３０は遅延設定開始キー６４の押し下げ操作を検知しないので、ステップＳ１０で条件不成立となり、本処理を終了する。
【００４８】
ステップＳ２０では、遅延設定の設定画面のＯＳＤ信号を生成する為の情報をＲＯＭより取得し、取得した情報に基づいてＯＳＲ回路にＯＳＤ信号を生成させるとともに、１チップＩＣ２０に供給する。すると、１チップＩＣ２０の映像信号処理部にてＯＳＤ信号を重畳した映像信号に対応するＲＧＢ信号が生成され、受像管１２にて同ＲＧＢ信号に対応する映像が画面に表示される。
【００４９】
図８に遅延設定画面の一例を示す。同図には、左右に移動するスライダとその設定値を示すスライドバーおよび遅延時間が表示されている。スライダにて設定可能な値としては、例えば２秒を１０に分けて、０．２秒刻みに設定できるなどとすればよい。スライダは左右カーソル移動キーの押し下げ操作に連動して、左右に移動し、真ん中の“０”にスライダをあわせると主音声と副音声は同時に出力され（遅延時間無し）、図のように主音声側の“１”にスライダを合わせると主音声が副音声よりも１秒送れて出力される。
【００５０】
ステップＳ２１では、左右カーソル移動キーの押し下げ操作を検知したか否かを判断する。同操作を検知したときは、左カーソル移動キーの押し下げ操作を検知したときは条件成立としてスライダを左に所定の１メモリ移動させたＯＳＤ信号を生成して画面に表示させてステップＳ２２に進み、右カーソル移動キーの押し下げ操作を検知したときは条件成立としてスライダを右に所定の１メモリ移動させたＯＳＤ信号を生成して画面に表示させてステップＳ２２に進む。そして、ステップＳ２２では、半導体メモリ４０の所定のアドレスにスライダの位置に対応する遅延設定を表す情報を記憶させてステップＳ２３に進む。一方、ステップＳ２１にて上記操作を検知しないときは条件不成立としてステップＳ２３に進む。
【００５１】
このとき、ステップＳ２２にて半導体メモリ４０の所定のアドレスに記憶された遅延時間を表す情報が変更される為、当該変更された遅延時間を表す情報に基づいてメモリ２５の読み出し位置を指示する制御信号を１チップＩＣ２０に出力する。すると当該制御信号に基づいて音声信号の出力が行われるため、受け付けた遅延時間が即時に反映される。
【００５２】
ステップＳ２３では、カーソル選択キーの押し下げ操作を検知したか否かを判断する。同操作を検知したときは、条件成立としてステップＳ３０に進み、当該操作を検知しないときは条件不成立としてステップＳ２１からの処理を繰り返す。
【００５３】
以上より、ステップＳ２０〜Ｓ２３の処理を実行するマイコン３０が、上記遅延時間を、スライダより受け付けて調整可能とした遅延時間受付手段を構成する。また、同遅延時間受付手段にて半導体メモリ４０の所定のアドレスに記憶された遅延時間を表す情報に基づいて１チップＩＣを制御するマイコン３０が、上記主音声信号と上記副音声信号とのいずれか一方を他方より遅延出力させ、上記主音声信号と上記副音声信号との出力タイミングを相対的に調整可能である遅延出力手段を構成する。
【００５４】
ステップＳ３０では、主音声と副音声の音量差を設定する設定画面のＯＳＤ信号を生成する為の情報をＲＯＭより取得し、取得した情報に基づいてＯＳＲ回路にＯＳＤ信号を生成させるとともに、１チップＩＣ２０に供給する。すると、１チップＩＣ２０の映像信号処理部にてＯＳＤ信号を重畳した映像信号に対応するＲＧＢ信号が生成され、受像管１２にて同ＲＧＢ信号に対応する映像が画面に表示される。
【００５５】
図９に音量差設定画面の一例を示す。同図には、上下に移動するスライダと、その設定値を示すスライドバーおよび音量差が表示されている。音量差は所定の音量差を１単位とするステップにて表されている。スライダは上下カーソル移動キーの押し下げ操作に連動して上下に移動し、真ん中の“０”にスライダを合わせると主音声と副音声の音量は同一となり、図のように“＋４”にスライダを合わせると主音声の音量が副音声に比べて４ステップぶん大きくなる。
【００５６】
ステップＳ３１では、上下カーソル移動キーの押し下げ操作を検知したか否かを判断する。同操作を検知したときは、上カーソル移動キーの押し下げ操作を検知したときは条件成立としてスライダを上に１ステップ移動させたＯＳＤ信号を生成して画面に表示させてステップＳ３２に進み、下カーソル移動キーの押し下げ操作を検知したときは条件成立としてスライダを下に１ステップ移動させたＯＳＤ信号を生成して画面に表示させてステップＳ３２に進む。そして、ステップＳ３２では、各レジスタに音量を表す情報を記憶させてステップＳ３３に進む。一方、ステップＳ３１にて上記操作を検知しないときは条件不成立としてステップＳ３３に進む。
【００５７】
このとき、ステップＳ３２にて各レジスタの音量を表す情報が変更される為、当該変更された音量を表す情報に基づいて各Ｄ／Ａ変換ポート２７Ｒ，２７Ｌでの出力電圧値の変更が行われる。従って、出力電圧に上記音量差が反映され、スピーカより出力される音量が即時に上記音量差を反映したものとなる。すなわち、マイコンは、レジスタに記憶された利得情報（音量を表す情報）を変更することにより、各Ａ／Ｄ変換ポート２４Ｒ，２４Ｌにて、デジタルにて処理される音声信号の利得を調整する。
【００５８】
ステップＳ３３では、カーソル選択キーの押し下げ操作を検知したか否かを判断する。同操作を検知したときは、条件成立としてステップＳ４０に進み、当該操作を検知しないときは条件不成立としてステップＳ３１からの処理を繰り返す。
【００５９】
ステップＳ４０では、音声を左右入れ替えるか否かを設定する設定画面のＯＳＤ信号を生成する為の情報をＲＯＭより取得し、取得した情報に基づいてＯＳＲ回路にいずれかの操作項目のいずれかの位置に合わせたカーソルとともにＯＳＤ表示させるＯＳＤ信号を生成させるとともに、１チップＩＣ２０に供給する。すると、１チップＩＣ２０の映像信号処理部にてＯＳＤ信号を重畳した映像信号に対応するＲＧＢ信号が生成され、受像管１２にて同ＲＧＢ信号に対応する映像が画面に表示される。
【００６０】
図１０に音声反転の設定画面の一例を示す。同設定画面においては、メモリ２５より出力される主音声の音声情報と副音声の音声情報とが、それぞれ左Ｄ／Ａ変換ポートと右Ｄ／Ａ変換ポートとのいずれから出力されるかの設定を行う。すなわち、現在、主音声が右の出力ラインから、副音声が左の出力ラインから、それぞれ出力されているとすると、当該設定画面において、主音声と副音声とを入れ替えることが出来る。
【００６１】
ステップＳ４１では、上下カーソル移動キーの押し下げ操作を検知したか否かを判断する。同操作を検知したときは、上下カーソル移動キーのいずれかの押し下げ操作を検知したときは条件成立としてカーソルを移動させてステップＳ４２に進む。例えば、図１０のようにカーソルが１の操作項目「主音声  副音声」に合わせて表示されているときは、操作項目「副音声  主音声」にあわせたカーソルとともにＯＳＤ表示させるＯＳＤ信号を生成させて１チップＩＣ２０に供給し、１チップＩＣ２０の映像信号処理部にてＯＳＤ信号を重畳した映像信号に対応するＲＧＢ信号が生成され、受像管１２にて同ＲＧＢ信号に対応する映像が画面に表示される。
【００６２】
そして、ステップＳ４２では、各Ｄ／Ａ変換ポート２７Ｒ，２７Ｌから主音声と副音声のいずれを出力させるかを表す情報を、半導体メモリ４０の所定のアドレスに記憶させてステップＳ４３に進む。一方、ステップ４１にて上記操作を検知しないときは条件不成立としてステップＳ４３に進む。
【００６３】
このとき、ステップＳ４２にて各Ｄ／Ａ変換ポート２７Ｒ，２７Ｌから主音声と副音声のいずれを出力させるかを表す情報が変更される為、当該変更された情報に基づいてメモリ２５より読み出される主音声と副音声の供給先が変更される。従って、音声反転設定画面にて１から２へと変更すると、即時に左のスピーカより副音声が出力され右のスピーカから主音声が出力されるようになる。すなわち、主音声と副音声とが出力されるタイミングも入れ替わる。
【００６４】
ステップＳ４３では、カーソル選択キーの押し下げ操作を検知したか否かを判断する。同操作を検知したときは、条件成立として当該処理を終了し、当該操作を検知しないときは条件不成立としてステップＳ４１からの処理を繰り返す。
【００６５】
以上より、ステップＳ４０〜Ｓ４３の処理を行うマイコン３０が、上記主音声信号と上記副音声信号とを出力するタイミングを入れ替える主副反転手段を構成する。
【００６６】
（３）まとめ： 
【００６７】
つまり、二ヶ国語放送における主音声信号と副音声信号とを所定時間以前まで記憶するメモリ２５を備えさせ、マイコン３０の制御にての主音声と副音声のいずれか一方を他方より遅延出力させる。また、メモリ２５より供給される主音声信号と副音声信号の出力レベルを設定する右レジスタ２６Ｒと左レジスタ２６Ｌとを備えさせ、出力される音声に音量差を生じさせる。さらに、マイコン３０の制御によりメモリ２５より出力される主音声信号と副音声信号との出力先を左右反転させる。
【００６８】
以上説明したように、本実施例に対応する請求項２にかかるテレビジョン受信装置では、音声多重映像信号を受信して中間周波信号を抽出して出力する映像信号受信手段と、同映像信号受信手段から出力される中間周波信号に基づいてディスプレイに所定の映像表示を行う映像信号生成手段と、上記映像信号受信手段から出力される中間周波信号を音声検波して主チャンネル音声信号と副チャンネル音声信号とに分離して復調する音声信号生成手段とを備えるテレビジョン受信装置おいて、上記主チャンネル音声信号は、二ヶ国語放送における主音声信号であり、上記副チャンネル音声信号は、二ヶ国語放送における副音声信号であり、上記主音声信号と上記副音声信号とのいずれか一方を他方より遅延出力させる遅延出力手段を備える構成としてある。
上記のように構成した請求項２に記載の発明においては、主音声と副音声とに時間差を付けていずれか一方を遅延出力することにより、外国語番組などで原音と吹き替えとが同時に再現できるとともに、原音と吹き替えとに時間差があるため原音を理解した後に吹き替えにて確認が出来るなど、語学学習をはじめとする利用方法に適したテレビジョン受信装置を提供することが可能となる。
【００６９】
そして、請求項３にかかる発明では、上記請求項２に記載のテレビジョン受信装置において、上記主音声信号と上記副音声信号とを記憶可能な記憶媒体を備える構成としてある。
【００７０】
上記記憶媒体としてはは、上記主音声信号と上記副音声信号とを記憶可能であればよく、半導体メモリ、バッテリによりバックアップされたＲＡＭ、ハードディスク等の磁気記憶媒体、等を用いることができる。
上記のように構成した請求項３に記載の発明においては、より語学学習をはじめとする利用方法に適したテレビジョン受信装置を提供することが可能となる。
【００７１】
さらに、請求項４にかかる発明では、上記請求項２または請求項３に記載のテレビジョン受信装置において、上記遅延出力手段は、上記主音声信号と上記副音声信号との出力タイミングを相対的に調整可能である構成としてある。
上記のように構成した請求項４に記載の発明においては、より語学学習をはじめとする利用方法に適したテレビジョン受信装置を提供することが可能となる。
【００７２】
また、請求項５にかかる発明では、上記請求項２〜請求項４のいずれかに記載のテレビジョン受信装置において、上記主音声信号と上記副音声信号とを出力するタイミングを入れ替える主副反転手段を備える構成としてある。
上記のように構成した請求項５に記載の発明においては、主音声と副音声の出力タイミングを入れ替えることが可能となり、吹き替えを先に聞いた後に原音を聞くなどの幅広い利用方法ができるテレビジョン受信装置を提供することが可能となる。
【００７３】
そして、請求項６にかかる発明は、上記請求項２〜請求項５のいずれかに記載のテレビジョン受信装置において、上記遅延時間を、スライダより受け付けて調整可能とした遅延時間受付手段を備える構成としてある。
【００７４】
上記のように構成した請求項６にかかる発明においては、遅延時間を適宜調節できる為、ユーザの理解の速度に合わせて原音と吹き替えとを出力するなど、より便利なテレビジョン受信装置を提供することが出来る。
【００７５】
さらに、請求項７にかかる発明は、上記請求項６に記載のテレビジョン受信装置において、上記遅延出力手段は、上記遅延時間受付手段にて受け付けた遅延時間を即時に反映する構成としてある。
【００７６】
上記のように構成した請求項７にかかる発明においては、ユーザの操作入力に合わせて遅延時間が即時に反映されるため、より便利なテレビジョン受信装置を提供することが出来る。
【００７７】
また、請求項８にかかる発明は、上記請求項２〜請求項７のいずれかに記載のテレビジョン受信装置において、上記映像信号生成手段と上記音声信号生成手段とは１チップＩＣにて具現され、上記１チップＩＣは、上記中間周波信号より得られる主チャンネル音声信号と副チャンネル音声信号とを出力する一対の音声出力端子と、入力されたアナログ信号をデジタル化する一対のＡ／Ｄ変換ポートと、所定の処理が施されたデジタル信号をアナログ出力する一対のＤ／Ａ変換ポートと、上記デジタル信号の出力レベルを表す利得情報が設定されるレジスタと、上記デジタル信号を記憶可能なメモリとを備える構成としてある。
【００７８】
上記のように構成した請求項８にかかる発明においては、より語学学習をはじめとする利用方法に適したテレビジョン受信装置を提供することが可能となる。
【００７９】
そして請求項９にかかる発明は、上記請求項８に記載のテレビジョン受信装置において、上記１チップＩＣを制御するマイコンを備え、上記マイコンは、上記レジスタに記憶された利得情報を変更することにより、上記デジタル信号の出力レベルを調整する構成としてある。
【００８０】
上記のように構成した請求項９にかかる発明においては、より語学学習をはじめとする利用方法に適したテレビジョン受信装置を提供することが可能となる。
【００８１】
さらに請求項１０にかかる発明は、上記請求項９に記載のテレビジョン受信装置において、上記マイコンは、上記デジタル信号が上記Ｄ／Ａ変換ポートより出力される際に、上記Ｄ／Ａ変換ポートにて上記出力レベルの調整を行わせる構成としてある。
【００８２】
上記のように構成した請求項１０にかかる発明においては、より語学学習をはじめとする利用方法に適したテレビジョン受信装置を提供することが可能となる。
【００８３】
以上の構成を踏まえた上で、請求項１の発明は、テレビ放送信号に基づいて映像を表示するディスプレイおよび音声を出力するスピーカを備えるテレビジョン受信装置において、情報を書き換え可能な半導体メモリと、テレビ放送信号を受信して所定の中間周波信号を出力するチューナと、上記中間周波信号を音声検波して音声検波出力を出力する音声検波部と、上記音声検波出力が入力され当該音声検波出力が二ヶ国語放送であるとき主音声と副音声とを出力する音声多重復調部と、上記音声多重復調部より出力される音声信号をアナログ出力する右音声出力端子および左音声出力端子と、上記右音声出力端子および左音声出力端子より入力されるアナログの音声信号を所定のサンプリングレートにて抽出する右Ａ／Ｄ変換ポートおよび左Ａ／Ｄ変換ポートと、上記右Ａ／Ｄ変換ポートおよび上記左Ａ／Ｄ変換ポートより出力される音声信号のうち所定時間以前までの音声信号を記憶するメモリと、上記メモリより供給される音声信号の出力レベルを調整してアナログ出力する右Ｄ／Ａ変換ポートおよび左Ｄ／Ａ変換ポートと、上記右Ｄ／Ａ変換ポートおよび上記左Ｄ／Ａ変換ポートの上記出力レベルがそれぞれ設定された右レジスタおよび左レジスタと、を備える１チップＩＣと、上記右Ｄ／Ａ変換ポートおよび上記左Ｄ／Ａ変換ポートより出力される音声信号を所定の利得に調整して上記スピーカに出力する音声アンプと、所定のフォーマットで表現した赤外線信号を受信して対応する電圧信号を生成するリモコン受光部と、操作を受け付ける複数のキーと、上記赤外線信号を上記リモコン受光部に向けて送信する赤外線信号送信部とを有し、同複数のキーの操作に応じた赤外線信号を所定のフォーマットで送出するリモコンと、上記１チップＩＣの制御を行うマイコンとを備え、上記マイコンは、主音声と副音声のいずれか一方を他方より遅延出力させる遅延時間を示すスライダを上記ディスプレイに表示させ、上記スライダを移動させる操作入力を上記リモコンより受け付け、上記スライダに対応する遅延時間を表す情報を上記半導体メモリの所定のアドレスに記憶させるとともに、受け付けた上記遅延時間にて主音声と副音声とを上記１チップＩＣより即時に出力させ、上記右Ｄ／Ａ変換ポートおよび上記左Ｄ／Ａ変換ポートの上記出力レベルを設定する操作入力を上記リモコンより受け付け、同出力レベルをそれぞれ上記右レジスタおよび上記左レジスタに設定し、同出力レベルにて上記１チップＩＣより音声信号を出力させ、上記メモリより出力される主音声と副音声の出力先を入れ替える操作入力を上記リモコンより受け付け、入れ替えられた出力先を表す情報を上記半導体メモリの所定のアドレスに記憶させ、上記１チップＩＣに主音声と副音声の出力先を入れ替えさせる構成としてある。
上記メモリとはＩＣチップとして搭載されている物理的なメモリのことであり、半導体メモリやフラッシュメモリなどを用いることが出来る。
【００８４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００８５】
【図１】テレビジョン受信装置の概略構成ブロック図である。
【図２】１チップＩＣの概略構成ブロック図である。
【図３】音声多重復調部の概略構成ブロック図である。
【図４】音声多重信号の周波数スペクトルを示す図である。
【図５】本発明のリモコンの一例を示す図である。
【図６】遅延出力における主音声と副音声のメモリ読み出し位置を示す図である。
【図７】遅延出力設定を行うマイコンの処理を表すフローチャートである。
【図８】遅延設定の設定画面の一例である。
【図９】音量差設定の設定画面の一例である。
【図１０】音声反転設定の設定画面の一例である。
【符号の説明】
【００８６】
１０…チューナ
１１…アンテナ
１２…受像管
１３Ｌ、１３Ｒ…スピーカ
１４…音声アンプ
１５…スイッチ回路
２０…１チップＩＣ
２１…映像信号処理部
２２…音声検波部
２３…音声多重復調部
２４Ｒ…右Ａ／Ｄ変換ポート
２４Ｌ…左Ａ／Ｄ変換ポート
２５…メモリ
２６Ｒ…右レジスタ
２６Ｌ…左レジスタ
２７Ｒ…右Ｄ／Ａ変換ポート
２７Ｌ…左Ｄ／Ａ変換ポート
３０…マイコン
４０…半導体メモリ
４５…コンポジット映像信号入力端子（端子）
５０…リモコン受光部
６０…リモコン
１００…テレビジョン受信装置
１１０…テレビジョン本体
【図１】
2007228159.tif 000003
【図２】
2007228159.tif 000004
【図３】
2007228159.tif 000005
【図４】
2007228159.tif 000006
【図５】
2007228159.tif 000007
【図６】
2007228159.tif 000008
【図７】
2007228159.tif 000009
【図８】
2007228159.tif 000010
【図９】
2007228159.tif 000011
【図１０】
2007228159.tif 000012